(57)【要約】  【課題】  従来の遠隔操作装置に比べて、操作ボタンが少なく、操作性が高い遠隔操作装置を提供する。  【解決手段】  筐体１の正面側に複数のディスプレイ２１ａ，２２ａ，２３ａを並置し、互いに異なるソフトキーを各ディスプレイ２１ａ，２２ａ，２３ａに表示させる制御部７と、各ディスプレイ２１ａ，２２ａ，２３ａに表示されたソフトキーの操作を検出するタッチパネル２１ｂ，２２ｂ，２３ｂと、タッチパネル２１ｂ，２２ｂ，２３ｂがソフトキーの操作を検出した場合、該ソフトキーに対応した操作信号を送信する送信部４とを備える。【選択図】        図１
2007049394.tif 000002
【特許請求の範囲】
【請求項１】
操作信号を送信して、電気機器が有する複数の機能を遠隔操作する遠隔操作装置において、
前記複数の機能の遠隔操作に関する複数のディスプレイを備える
ことを特徴とする遠隔操作装置。
【請求項２】
前記複数のディスプレイは並置されている
ことを特徴とする請求項１に記載の遠隔操作装置。
【請求項３】
前記複数のディスプレイは、
前記複数の機能に夫々対応していて、該機能を遠隔操作するためのソフトキーを表示するようにしてあり、
前記ディスプレイに表示されたソフトキーの操作を検出する検出手段と、
該検出手段がソフトキーの操作を検出した場合、該ソフトキーに対応した操作信号を送信する手段と
を備えることを特徴とする請求項１又は請求項２に記載の遠隔操作装置。
【請求項４】
前記複数のディスプレイの駆動を受け付ける受付手段を備え、
前記ディスプレイは、
前記受付手段が駆動を受け付けた場合、前記機能の遠隔操作に関する表示を行うようにしてある
ことを特徴とする請求項１乃至請求項３のいずれか一つに記載の遠隔操作装置。
【請求項５】
前記受付手段は、
前記複数のディスプレイ毎に駆動を受け付ける手段を備え、
各ディスプレイは、
前記受付手段が該ディスプレイの駆動を受け付けた場合、前記機能の遠隔操作に関する表示を行うようにしてある
ことを特徴とする請求項４に記載の遠隔操作装置。
【請求項６】
番組の取得、取得した番組の録画、録画の予約、又は録画した番組の再生を行う録画再生装置が有する機能を遠隔操作するようにしてある
ことを特徴とする請求項１乃至請求項５のいずれか一つに記載の遠隔操作装置。
【発明の詳細な説明】
【技術分野】
【０００１】
本発明は、電気機器が有する複数の機能を遠隔操作するためのソフトキー、文字等を表示する複数のディスプレイを備える遠隔操作装置に関する。
【背景技術】
【０００２】
図１２は、従来の遠隔操作装置の模式図である。ハードディスクドライブ一体型のＤＶＤレコーダを遠隔操作する遠隔操作装置は、略直方体の筐体２０１を備えており、筐体２０１には、ＤＶＤレコーダを遠隔操作するための各種ボタンが配されている。
例えば、遠隔操作装置は、受信放送局を選択する放送局選択ボタン２０９ａ、受信した番組を録画する録画ボタン２０９ｂ、番組の再生に関する再生ボタン、早送ボタン、巻戻ボタン等のボタン群２０９ｃ、記録及び再生する記録媒体を選択するためのボタン群２０９ｄ、放送局のチャンネルを選択するチャンネルボタン２０９ｅ、音量調節ボタン２０９ｆ、電源ボタン２０９ｇ等を筐体に配している。
【０００３】
ＤＶＤレコーダの使用者は、各種ボタンを操作することにより、ＤＶＤレコーダを遠隔操作し、放送局の選択、記録及び再生の開始、停止、一時停止、記録媒体の選択を行うことができる。
【特許文献１】特開平２−３２２９１号公報
【発明の開示】
【発明が解決しようとする課題】
【０００４】
しかしながら、従来の遠隔操作装置においては、操作対象のＤＶＤレコーダが多機能化する程、より多くの操作ボタンを設ける必要があるため、所望の操作ボタンを見つけ出すことが困難になり、遠隔操作装置の操作性が低下するという問題があった。
【０００５】
また、ＤＶＤレコーダの遠隔操作装置に限らず、複数の機能を有する電気機器の遠隔操作装置も同様の問題を有している。
【０００６】
本発明は斯かる事情に鑑みてなされたものであり、その目的とするところは、電気機器が有する複数の機能を遠隔操作するためのソフトキー、文字等を表示する複数のディスプレイを備えることにより、各ディスプレイに、ソフトキー、文字等を区分して表示することができ、従来の遠隔操作装置に比べて、操作性が高い遠隔操作装置を提供することにある。
【０００７】
また、本発明の他の目的は、複数のディスプレイを並置する構成とすることにより、複数のディスプレイが散配されている場合に比べて、操作性が高い遠隔操作装置を提供することにある。
【０００８】
更に、本発明の他の目的は、電気機器が有する複数の機能を夫々遠隔操作するためのソフトキーを、互いに異なるディスプレイに表示させるように構成し、ソフトキーの操作を検出するためのタッチパネルを備えることにより、従来の遠隔操作装置に比べて、使用者が所望のソフトキーを容易に見つけ出すことができ、操作性が高い遠隔操作装置を提供することにある。
【０００９】
更にまた、本発明の他の目的は、ディスプレイの駆動を受け付け、駆動を受け付けた場合、ディスプレイにソフトキー、文字等を表示させるように構成することにより、常時ディスプレイが駆動している場合に比べて、消費電力を低減することができる遠隔操作装置を提供することにある。
【００１０】
更にまた、本発明の他の目的は、各ディスプレイの駆動を受け付け、駆動を受け付けた一のディスプレイにソフトキー、文字等を表示させるように構成することにより、全てのディスプレイにソフトキーを表示する場合に比べて、ディスプレイに表示されるソフトキー、文字等が少ないため、使用者が所望のソフトキー、文字等を容易に見つけ出すことができる遠隔操作装置を提供することにある。
【００１１】
更にまた、本発明の他の目的は、番組の取得、取得した番組の録画、録画の予約、番組の再生を行う録画再生装置が有する機能を遠隔操作するように構成することにより、従来の遠隔操作装置に比べて、番組の録画、予約、再生に関する操作性が高い遠隔操作装置を提供することにある。
【課題を解決するための手段】
【００１２】
本発明に係る遠隔操作装置は、操作信号を送信して、電気機器が有する複数の機能を遠隔操作する遠隔操作装置において、前記複数の機能の遠隔操作に関する複数のディスプレイを備えることを特徴とする。
【００１３】
本発明にあっては、電気機器が有する複数の機能に関するソフトキー、文字、図形等が、複数のディスプレイに区分けされて表示される。
【００１４】
本発明に係る遠隔操作装置は、前記複数のディスプレイが並置されていることを特徴とする。
【００１５】
本発明にあっては、複数のディスプレイが並置されているため、複数のディスプレイが散配されている場合に比べて、表示されるソフトキー、文字等の視認性が高い。
【００１６】
本発明に係る遠隔操作装置は、前記複数のディスプレイが、前記複数の機能に夫々対応していて、該機能を遠隔操作するためのソフトキーを表示するようにしてあり、前記ディスプレイに表示されたソフトキーの操作を検出する検出手段と、該検出手段がソフトキーの操作を検出した場合、該ソフトキーに対応した操作信号を送信する手段とを備えることを特徴とする。
【００１７】
本発明にあっては、各ディスプレイに区分けされて表示されたソフトキーの操作を検出手段が検出した場合、該ソフトキーに対応していて、電気機器が有する機能を遠隔操作するための操作信号が送信される。
【００１８】
本発明に係る遠隔操作装置は、前記複数のディスプレイの駆動を受け付ける受付手段を備え、前記ディスプレイは、前記受付手段が駆動を受け付けた場合、前記機能の遠隔操作に関する表示を行うようにしてあることを特徴とする。
【００１９】
本発明にあっては、複数のディスプレイは、受付手段が駆動を受け付けた場合、ソフトキー、文字等を表示する。
【００２０】
本発明に係る遠隔操作装置は、前記受付手段が、前記複数のディスプレイ毎に駆動を受け付ける手段を備え、各ディスプレイは、前記受付手段が該ディスプレイの駆動を受け付けた場合、前記機能の遠隔操作に関する表示を行うようにしてあることを特徴とする。
【００２１】
本発明にあっては、複数のディスプレイ毎に受付手段が駆動を受け付け、受付手段の受付内容に応じて、一のディスプレイがソフトキー、文字等を表示する。
【００２２】
本発明に係る遠隔操作装置は、番組の取得、取得した番組の録画、録画の予約、又は録画した番組の再生を行う録画再生装置が有する機能を遠隔操作するようにしてあることを特徴とする。
【００２３】
本発明にあっては、録画再生装置による番組の取得、取得した番組の録画、録画の予約、又は録画した番組の再生のいずれかの機能を遠隔操作するための操作信号を送信する。
【発明の効果】
【００２４】
本発明によれば、複数のディスプレイに、ソフトキー、文字等を区分して表示することができ、従来の遠隔操作装置に比べて、操作性の高い遠隔操作装置を構成することができる。
【００２５】
本発明によれば、複数のディスプレイが散配されている場合に比べて、操作性が高い遠隔操作装置を構成することができる。
【００２６】
本発明によれば、従来の遠隔操作装置に比べて、使用者が所望するソフトキーを容易に見つけ出して操作することができ、操作性が高い遠隔操作装置を構成することができる。
【００２７】
本発明によれば、ソフトキーを表示するディスプレイが常時駆動している場合に比べて、消費電力を低減することができる。
【００２８】
本発明によれば、全てのディスプレイにソフトキーを表示する場合に比べて、ディスプレイに表示されるソフトキー、文字等が少ないため、使用者は、所望のソフトキー、文字等を容易に見つけ出すことができる。
【００２９】
本発明によれば、録画再生装置による番組の取得、取得した番組の録画、録画の予約、番組の再生に関する機能を遠隔操作することができる。
【発明を実施するための最良の形態】
【００３０】
以下、本発明をその実施の形態を示す図面に基づいて詳述する。
【００３１】
（実施の形態１）
図１は、本発明の実施の形態１に係る遠隔操作装置の模式図、図２は、図１のII−II線断面図である。
【００３２】
実施の形態１に係る遠隔操作装置は、略直方体の筐体１を備えたバータイプであり、表面１０の幅方向略中央部に、録画再生装置、例えばハードディスク一体型のＤＶＤレコーダを遠隔操作するためのタッチパネルディスプレイからなる第１乃至第３操作部２１，２２，２３が長手方向に沿って並設されている。
【００３３】
また、筐体１の側面１１の略中心部には、ＤＶＤレコーダによる番組の取得、番組の録画、録画予約、再生等を遠隔操作する為の赤外光の操作信号を送信する送信部４が設けられている。
【００３４】
第１操作部２１は、ＤＶＤレコーダを遠隔操作するためのソフトキーを表示する液晶パネルからなる第１ディスプレイ２１ａを備えている。第１ディスプレイ２１ａは、図２に示すように、筐体１内部に収容されている回路基板３に配設されていて、筐体１は、第１乃至第３操作部２１，２２，２３を並設した表面１０の第１ディスプレイ２１ａに対向する部位に円形の窓部を形成している。
円形の窓部には、円盤状の透明アクリル板からなる透明パネル２１ｄが、嵌合固定されている。
【００３５】
第２操作部２２及び第３操作部２３は、第１ディスプレイ２１ａと同様の第２ディスプレイ２２ａ及び第３ディスプレイ２３ａを備えており、筐体１は、第２ディスプレイ２２ａ及び第３ディスプレイ２３ａに対する円形の窓部を形成していて、該窓部には、円盤状の透明パネル２２ｄ，２３ｄが嵌合固定されている。
【００３６】
第１乃至第３ディスプレイ２１ａ，２２ａ，２３ａは、パネル駆動部７１によって駆動され、パネル駆動部７１による各ディスプレイ２１ａ，２２ａ，２３ａの駆動及び停止は、タイマー７０ｂを備えた制御部７０によって制御される（図４参照）。
【００３７】
第１乃至第３ディスプレイ２１ａ，２２ａ，２３ａ夫々の窓部周縁には、略長方形の外縁を有しており、駆動するディスプレイの指定を受け付けるための第１乃至第３接触感知センサ２１ｂ，２２ｂ，２３ｂが配されている。第１乃至第３接触感知センサ２１ｂ，２２ｂ，２３ｂは、例えば抵抗膜方式のタッチパネルであり、各接触感知センサ２１ｂ，２２ｂ，２３ｂの信号は、接続線２１ｃ，２２ｃ，２３ｃを介して、回路基板３の適宜箇所に設けられた第１選択部５に与えられる。
【００３８】
第１選択部５は、第１乃至第３接触感知センサ２１ｂ，２２ｂ，２３ｂの信号のいずれか一つを選択し、選択した信号を増幅及びＡＤ変換して、制御部７０に与える。信号の選択は、制御部７０によって制御される。
【００３９】
また、第１操作部２１は、第１ディスプレイ２１ａに表示されたソフトキーの操作を検出するための静電容量方式の第１タッチパネル２１ｅを備えている。
【００４０】
図３は、第１タッチパネル２１ｅの模式図、図４は、遠隔操作装置のブロック図である。
【００４１】
第１タッチパネル２１ｅは、透明パネル２１ｄの内面に散配されていて、所定の静電容量を有する複数のＩＴＯ（Ｉｎｄｉｕｍ  Ｔｉｎ  Ｏｘｉｄｅ）透明電極ｃ１１…ｃ１ｎ、発振部７２、及び透明パネル２１ｄから構成されている。但し、ｎは、透明パネル２１ｄに散配されたＩＴＯ透明電極の総数を示した自然数である。
【００４２】
ＩＴＯ透明電極ｃ１１…ｃ１ｎは、人の指より小さい円形の透明電極である。
発振部７２は、ＩＴＯ透明電極ｃ１１の静電容量及び所定の電気抵抗で定まる周波数の信号を、ＩＴＯ透明電極に接続したワイヤｗ１１を介して第２選択部６に与える。同様にして、発振部７２は、各ＩＴＯ透明電極ｃ１２…ｃ１ｎの静電容量で定まる周波数の信号を、ワイヤｗ１２…ｗ１ｎを介して第２選択部６に与える。
【００４３】
第２選択部６は、ＩＴＯ透明電極ｃ１１…ｃ１ｎの信号のいずれか一つを選択し、選択した信号をＡＤ変換して制御部７０に与える。信号の選択は、制御部７０によって制御される。
【００４４】
透明パネル２１ｄに人の指が触れた場合、人の指が触れた部分に対向しているＩＴＯ透明電極ｃ１１…ｃ１ｎの静電容量が変化し、第１タッチパネル２１ｅから出力される信号の周波数が変化する。制御部７０は、出力される信号の周波数の変化に基づいて、透明パネル２１ｄに対する人の指の接触及び接触位置を検出する。
【００４５】
同様に、第２タッチパネル２２ｅ及び第３タッチパネル２３ｅは、透明パネル２２ｄ及び透明パネル２３ｄに夫々散配された複数のＩＴＯ透明電極ｃ２１…ｃ２ｎ及びＩＴＯ透明電極ｃ３１…ｃ３ｎを備えており、ＩＴＯ透明電極ｃ２１…ｃ２ｎ及びＩＴＯ透明電極ｃ３１…ｃ３ｎの静電容量で定まる周波数の信号がワイヤｗ２１…ｗ２ｎ及びワイヤｗ３１…ｗ３ｎを介して第２選択部６に与えられる。
第２選択部６は、第１タッチパネル２１ｅからの信号と同様に、第２タッチパネル２２ｅ及び第３タッチパネル２３ｅからの信号のいずれか一つを選択し、選択した信号を制御部７０に与える。
【００４６】
図５は、第１乃至第３操作部２１，２２，２３に夫々対応しているソフトキーの内容を示す表である。制御部７０は、第１乃至第３操作部２１，２２，２３夫々に対応したソフトキー群の画像データを記憶している。
具体的には、図５に示すように、制御部７０は、第１操作部２１に対応していて、ポインタｐ１＝０，１，２、３…で夫々指定されるソフトキー群を複数記憶している。例えば、ポインタｐ１＝０で指定される電源キー、ポインタｐ１＝１で指定されるチャンネル選択キー、音量調節キー、放送局選択キー等のソフトキー群、ポインタｐ１＝２で指定される地上Ａ（地上波アナログ）選択キー、地上Ｄ（地上波デジタル）選択キー、ＢＳ選択キー、ＣＳ選択キー、ＣＡＴＶ選択キー等のソフトキー群を記憶している。
【００４７】
更に、制御部７０は、第１タッチパネル２１ｅの信号に基づいて、第１ディスプレイ２１ａに表示されたソフトキーのいずれが操作されたかを判断するために、ソフトキーの表示位置、及び該表示位置のソフトキーと第１タッチパネル２１ｅのＩＴＯ透明電極ｃ１１…ｃ１ｎとの対応関係を記憶している。
【００４８】
同様にして、制御部７０は、第２操作部２２及び第３操作部２３に対応していて、ポインタｐ２とポインタｐ３とで夫々指定されるソフトキー群、ソフトキーの表示位置、及び該表示位置のソフトキーとＩＴＯ透明電極ｃ２１…ｃ１ｎ，ｃ３１…ｃ３ｎとの対応関係を記憶している。
【００４９】
制御部７０は、ソフトキーの画像データをパネル駆動部７１に与えることにより、第１乃至第３ディスプレイ２１ａ，２２ａ，２３ａにソフトキーを表示させる。
そして、制御部７０は、第２選択部６から与えられた第１乃至第３タッチパネル２１ｅ，２２ｅ，２３ｅの信号に基づいて、操作されたソフトキーを特定し、特定したソフトキーに対応する操作信号を送信部４に与える。送信部４は、制御部７０から与えられた操作信号に応じた赤外光の操作信号を送信する。
【００５０】
図６は、遠隔操作に係る制御部７０の処理手順を示すフローチャートである。
制御部７０は、駆動対象の操作部を示すポインタｐ０、及び各ディスプレイ２１ａ，２２ａ，２３ａが表示するソフトキーを指定するためのポインタｐ１，ｐ２，ｐ３に０を設定する（ステップＳ１）。
ポインタｐ０＝１，２，３は夫々、駆動対象が第１操作部２１、第２操作部２２、及び第３操作部２３であることを示しており、ポインタｐ０＝０は、第１乃至第３操作部２１，２２，２３のいずれも駆動対象でないことを示している。
【００５１】
次いで、制御部７０は、第１接触感知センサ２１ｂの信号を検出し、第１接触感知センサ２１ｂがオンであるか否かを判定する（ステップＳ２）。
制御部７０は、第１接触感知センサ２１ｂの信号が制御部７０に入力するように、第１選択部５の信号選択を制御し、第１選択部５を介して第１接触感知センサ２１ｂの信号を取得することにより、第１接触感知センサ２１ｂの状態を検出する。
【００５２】
第１接触感知センサ２１ｂがオンであると判定した場合（ステップＳ２：ＹＥＳ）、制御部７０は、第１ディスプレイ２１ａを駆動する（ステップＳ３）。
具体的には、制御部７０は、第１ディスプレイ２１ａの駆動を指示する信号をパネル駆動部７１に与え、第１タッチパネル２１ｅの信号を選択するように第２選択部６の信号選択を制御する。
そして、制御部７０は、ポインタｐ０に１を設定する（ステップＳ４）。
【００５３】
第１接触感知センサ２１ｂがオンでないと判定した場合（ステップＳ２：ＮＯ）、制御部７０は、第２接触感知センサ２２ｂの信号を検出し、第２接触感知センサ２２ｂがオンであるか否かを判定する（ステップＳ５）。
【００５４】
第２接触感知センサ２２ｂがオンであると判定した場合（ステップＳ５：ＹＥＳ）、制御部７０は、第２ディスプレイ２２ａを駆動し（ステップＳ６）、ポインタｐ０に２を設定する（ステップＳ７）。
【００５５】
第２接触感知センサ２２ｂがオンでないと判定した場合（ステップＳ５：ＮＯ）、制御部７０は、第３接触感知センサ２３ｂの信号を検出し、第３接触感知センサ２３ｂがオンであるか否かを判定する（ステップＳ８）。
【００５６】
第３接触感知センサ２３ｂがオンであると判定した場合（ステップＳ８：ＹＥＳ）、制御部７０は、第３ディスプレイ２３ａを駆動し（ステップＳ９）、ポインタｐ０に３を設定する（ステップＳ１０）。
【００５７】
ステップＳ４、ステップＳ７、又はステップＳ１０の処理を終えた場合、制御部７０は、タイマー７０ｂをリセットし、タイマー７０ｂによる計時を開始させる（ステップＳ１１）。
タイマー７０ｂは、遠隔操作装置が継続的に操作されない時間を計時する。
【００５８】
ステップＳ１１の処理を終えた場合、又はステップＳ８で第３接触感知センサ２３ｂがオンでないと判定した場合（ステップＳ８：ＮＯ）、制御部７０は、ポインタｐ０が０であるか否かを判定する（ステップＳ１２）。
【００５９】
ポインタｐ０が０であると判定した場合（ステップＳ１２：ＹＥＳ）、制御部７０は、処理を終える。
【００６０】
ポインタｐ０が０でないと判定した場合（ステップＳ１２：ＮＯ）、制御部７０は、ＤＶＤレコーダの遠隔操作に係るサブルーチンを呼び出し、遠隔操作に係る処理を実行する（ステップＳ１３）。
【００６１】
ステップＳ１３の処理を終えた場合、制御部７０は、タイマー７０ｂが所定時間を計時したか否かを判定する（ステップＳ１４）。
【００６２】
タイマー７０ｂが所定時間を計時していないと判定した場合（ステップＳ１４：ＮＯ）、制御部７０は、処理をステップＳ２に戻す。
【００６３】
タイマー７０ｂが所定時間を計時したと判定した場合（ステップＳ１４：ＹＥＳ）、制御部７０は、第１乃至第３ディスプレイ２１ａ，２２ａ，２３ａを停止させ（ステップＳ１５）、処理を終える。
【００６４】
図７は、遠隔操作に係る制御部７０のサブルーチンの処理手順を示すフローチャートである。
遠隔操作に係るサブルーチンが呼び出された場合、制御部７０は、ポインタｐ０で指定された第１乃至第３ディスプレイ２１ａ，２２ａ，２３ａのいずれか一つに、ポインタｐｉで指定されるソフトキーを表示させる（ステップＳ２１）。但し、ｉ＝ｐ０であり、ポインタｐｉは、駆動する第１乃至第３ディスプレイ２１ａ，２２ａ，２３ａのいずれか一つに対応したソフトキーを示している。
【００６５】
次いで、制御部７０は、ポインタｐ０で指定される第１乃至第３タッチパネル２１ｅ，２２ｅ，２３ｅのいずれか一つの状態を検出し、第１乃至第３ディスプレイ２１ａ，２２ａ，２３ａに表示されたソフトキーが操作されたか否かを判定する（ステップＳ２２）。
つまり、制御部７０は、ポインタｐ０で指定される第１乃至第３タッチパネル２１ｅ，２２ｅ，２３ｅのいずれか一つの信号が制御部７０に入力されるように、第２選択部６を制御する。そして、制御部７０は、指定された第１乃至第３タッチパネル２１ｅ，２２ｅ，２３ｅのいずれか一つからの信号に基づいて、第１乃至第３タッチパネル２１ｅ，２２ｅ，２３ｅに対する接触の位置を検出し、操作されたソフトキーを特定する。
【００６６】
ソフトキーが操作されていないと判定した場合（ステップＳ２２：ＮＯ）、制御部７０は、遠隔操作に係るサブルーチンの処理を終える。
【００６７】
ソフトキーが操作されたと判定した場合（ステップＳ２２：ＹＥＳ）、制御部７０は、操作されたソフトキーに対応する操作信号を送信部４に与える（ステップＳ２３）。
操作信号が与えられた送信部４は、該操作信号を赤外光で送信する。
【００６８】
次いで、制御部７０は、操作されたソフトキーに応じて、ポインタｐｉを変更する（ステップＳ２４）。
制御部７０は、操作時のポインタｐｉの値及び操作されたソフトキーと、変更後のポインタｐｉの値との関係を記憶している。
例えば、ポインタｐ１＝０で、電源ボタンのソフトキーが操作された場合、制御部７０は、ポインタｐ１の値を１に変更する。また。ポインタｐ１＝１で、放送選択ボタンのソフトキーが操作された場合、制御部７０は、ポインタｐ１の値を２に変更する。
同様に、ポインタｐ２＝０で、録画開始ボタンのソフトキーが操作された場合、ポインタｐ２の値を１に変更する。また、ポインタｐ２＝１で、録画停止ボタンのソフトキーが操作された場合、ポインタｐ２の値を０に変更する。
【００６９】
そして、制御部７０は、タイマー７０ｂをリセットし、遠隔操作に係るサブルーチンの処理を終える。
【００７０】
実施の形態１に係る遠隔操作装置にあっては、ＤＶＤレコーダを遠隔操作するためのソフトキーが、第１乃至第３ディスプレイ２１ａ，２２ａ，２３ａに区分されて表示される。従って、従来の遠隔操作装置に比べて、使用者が所望する機能を遠隔操作するためのソフトキーを容易に見つけ出すことができる。
【００７１】
また、各ディスプレイ２１ａ，２２ａ，２３ａは、操作段階に応じて、必要なソフトキーを段階的に表示する。例えば、第１ディスプレイ２１ａには、始めに電源キーのソフトキーが表示され、該ソフトキーが操作された場合、次いでチャンネル選択キー、音量調節キー、放送選択キー、電源キー等のソフトキーが表示される。従って、従来の遠隔操作装置に比べて、操作ボタンに当たるソフトキーの数が少なく、使用者が所望するソフトキーを容易に見つけ出すことができる。
【００７２】
更に、第１乃至第３接触感知センサ２１ｂ，２２ｂ，２３ｂに人の指が触れることで、第１乃至第３操作部２１，２２，２３のいずれか一つが駆動し、ソフトキーの操作を検出するため、使用者が操作している第１乃至第３ディスプレイ２１ａ，２２ａ，２３ａのいずれか一つにソフトキーが表示され、他の第１乃至第３ディスプレイ２１ａ，２２ａ，２３ａには、ソフトキーが表示されない。
従って、使用者が所望する機能に関連するソフトキーのみを表示することができ、使用者は所望するソフトキーを容易に見つけ出すことができる。
【００７３】
更にまた、第１乃至第３操作部２１，２２，２３が操作されていない状態が所定時間継続した場合、第１乃至第３ディスプレイ２１ａ，２２ａ，２３ａは停止するため、遠隔操作装置の消費電力を低減することができる。
【００７４】
更にまた、第１乃至第３操作部２１，２２，２３は、並設されているため、操作部が散配されている場合に比べて、操作性が高い遠隔操作装置を構成することができる。
【００７５】
なお、実施の形態１にあっては、録画再生装置を遠隔操作する遠隔操作装置を説明したが、操作信号を送信して、テレビジョン受像器、空気調節装置等の電気機器が有する複数の機能を遠隔操作するように構成しても良い。
【００７６】
また、３枚のディスプレイを備える遠隔操作装置を説明したが、遠隔操作対象の電気機器が有する機能を２つ又は４以上に区分できる場合、２枚又は４枚以上のディスプレイを備えるように遠隔操作装置を構成しても良い。
【００７７】
更に、ソフトキーの操作を検出するタッチパネルとして、静電容量方式のタッチパネルを採用しているが、抵抗膜方式のタッチパネルを採用しても良い。
更にまた、ディスプレイの駆動を受け付けるための接触感知センサとして、抵抗膜方式のタッチパネルを採用しているが、静電容量方式のタッチパネルを採用しても良い。
【００７８】
更にまた、複数の操作部毎に、液晶パネルを設けて複数のディスプレイを構成しているが、一枚の液晶パネルを複数の窓部を有する筐体で覆うことで、各操作部２１，２２，２３のディスプレイを構成しても良い。
【００７９】
（実施の形態２）
図８は、実施の形態２に係る遠隔操作装置の模式図、図９は、遠隔操作装置の略示側面図である。
実施の形態２に係る遠隔操作装置は、実施の形態１に係る遠隔操作装置と同様の第１乃至第３ディスプレイ２１ａ，２２ａ，２３ａ、並びに第１乃至第３タッチパネル２１ｅ，２２ｅ，２３ｅからなる第１乃至第３操作部２１，２２，２３、第２選択部６、送信部４、制御部７０等を備えている。
【００８０】
また、遠隔操作装置は、筐体１０１の一面に、一の接触感知センサ８を備えており、一の接触感知センサ８が接触を感知した場合、制御部７０は、各ディスプレイ２１ａ，２２ａ，２３ａを駆動させて、ソフトキーを表示させる。そして、制御部７０は、第１乃至第３タッチパネル２１ｅ，２２ｅ，２３ｅの信号を順次取得して、各ディスプレイ２１ａ，２２ａ，２３ａに表示されたソフトキーの操作を検出するように構成してある。
【００８１】
図１０は、実施の形態２における遠隔操作に係る制御部７０の処理手順を示すフローチャートである。
【００８２】
接触感知センサ８がオンになった場合、制御部７０は、実施の形態１と同様のポインタｐ１，ｐ２，ｐ３に０を設定し（ステップＳ１０１）、第１乃至第３ディスプレイ２１ａ，２２ａ，２３ａを駆動する（ステップＳ１０２）。
【００８３】
次いで、制御部７０は、タイマー７０ｂをリセットし、計時を開始する（ステップＳ１０３）。
そして、制御部７０は、第１乃至第３ディスプレイ２１ａ，２２ａ，２３ａ夫々にポインタｐ１，ｐ２，ｐ３で指定されるソフトキーを表示させる（ステップＳ１０４）。
【００８４】
図１１は、実施の形態２における各操作部２１，２２，２３に対応するソフトキーの内容を示す表である。
例えば、第１操作部２１には、放送局選択メニューキー、再生メニューキー、録画メニューキー、予約メニューキー等のソフトキー群が対応している。また、第２操作部２２には、ポインタｐ２＝０で指定される放送局の選択に関するソフトキー群、ポインタｐ２＝１で指定される再生に関するソフトキー群、ポインタｐ２＝２で指定される録画に関するソフトキー群、ポインタｐ２＝３で指定される予約に関するソフトキー群が夫々対応している。更に、第３操作部２３には、ポインタｐ３＝０で指定される電源キー、チャンネル選択キー、音量調整キー、記録媒体選択キー等のソフトキー群、ポインタｐ３＝１で指定される記録媒体の選択に関するソフトキー群が対応している。
【００８５】
次いで、制御部７０は、第１タッチパネル２１ｅの信号を検出して、第１操作部２１のソフトキー、つまり第１ディスプレイ２１ａに表示されたソフトキーが操作されたか否かを判定する（ステップＳ１０５）。
第１操作部２１のソフトキーが操作されたと判定した場合（ステップＳ１０５：ＹＥＳ）、制御部７０は、操作されたソフトキーに応じて、ポインタｐ２に所定の値を設定する（ステップＳ１０６）。
【００８６】
例えば、第１ディスプレイ２１ａに表示されていた放送局選択メニューのソフトキーが操作された場合、ポインタｐ２に０を設定して、第２ディスプレイ２２ａに放送局の選択に関するソフトキーを表示させる。
また、再生メニューのソフトキーが操作された場合、ポインタｐ２に１を設定して、第２ディスプレイ２２ａに再生に関するソフトキーを表示させる。
更に、録画メニューのソフトキーが操作された場合、ポインタｐ２に２を設定して、第２ディスプレイ２２ａに録画に関するソフトキーを表示させる。
更にまた、予約メニューのソフトキーが操作された場合、ポインタｐ２に３を設定して、第２ディスプレイ２２ａに番組の録画予約に関するソフトキーを表示させる。
【００８７】
第１操作部２１のソフトキーが操作されていないと判定した場合（ステップＳ１０５：ＮＯ）、制御部７０は、第２タッチパネル２２ｅの信号を検出して、第２操作部２２のソフトキーが操作されたか否かを判定する（ステップＳ１０７）。
【００８８】
第２操作部２２のソフトキーが操作されていないと判定した場合（ステップＳ１０７：ＮＯ）、制御部７０は、第３タッチパネル２３ｅの信号を検出して、第３操作部２３のソフトキーが操作されたか否かを判定する（ステップＳ１０８）。
【００８９】
第３操作部２３のソフトキーが操作されたと判定した場合（ステップＳ１０８：ＹＥＳ）、制御部７０は、操作された第３操作部２３のソフトキーに応じて、ポインタｐ３の値を変更する（ステップＳ１０９）。
【００９０】
ステップＳ１０６若しくはステップＳ１０９の処理を終えた場合、又はステップＳ１０７で第２操作部２２のソフトキーが操作されたと判定した場合（ステップＳ１０７：ＹＥＳ）、制御部７０は、操作されたソフトキーに対応した操作信号を送信部４に送信させる（ステップＳ１１０）そして、制御部７０は、タイマー７０ｂをリセットする（ステップＳ１１１）。
【００９１】
ステップＳ１１１の処理を終えた場合、又はステップＳ１０８で第３操作部２３の操作を検出していないと判定した場合（ステップＳ１０８：ＮＯ）、制御部７０は、タイマー７０ｂが所定時間を計時しているか否かを判定する（ステップＳ１１２）。
【００９２】
タイマー７０ｂが所定時間を計時していると判定した場合（ステップＳ１１２：ＹＥＳ）、制御部７０は、第１乃至第３ディスプレイ２１ａ，２２ａ，２３ａを停止させ（ステップＳ１１３）、処理を終える。
【００９３】
タイマー７０ｂが所定時間を計時していないと判定した場合（ステップＳ１１２：ＮＯ）、制御部７０は、処理をステップＳ１０４に戻す。
【００９４】
実施の形態２に係る他の構成、作用及び効果は、実施の形態１に係る遠隔操作装置の構成、作用及び効果と同様であるため、対応する箇所には同様の符号を付して、その詳細な説明を省略する。
【００９５】
実施の形態２に係る遠隔操作装置にあっては、第１操作部２１で選択されたメニューに対応したソフトキーが、第２操作部２２に階層的に表示されるため、従来の遠隔操作装置に比べて、使用者は容易に所望のソフトキーを見つけ出すことができる。
【図面の簡単な説明】
【００９６】
【図１】本発明の実施の形態１に係る遠隔操作装置の模式図である。
【図２】図１のII−II線断面図である。
【図３】タッチパネルの模式図である。
【図４】遠隔操作装置のブロック図である。
【図５】各操作部に対応するソフトキーの内容を示す表である。
【図６】遠隔操作に係る制御部の処理手順を示すフローチャートである。
【図７】遠隔操作に係る制御部のサブルーチンの処理手順を示すフローチャートである。
【図８】実施の形態２に係る遠隔操作装置の模式図である。
【図９】遠隔操作装置の略示側面図である。
【図１０】実施の形態２における遠隔操作に係る制御部の処理手順を示すフローチャートである。
【図１１】実施の形態２における各操作部に対応するソフトキーの内容を示す表である。
【図１２】従来の遠隔操作装置の模式図である。
【符号の説明】
【００９７】
１  筐体
２１  第１操作部
２１ａ  第１ディスプレイ
２１ｂ  第１接触感知センサ
２１ｄ  透明パネル
２１ｅ  第１タッチパネル
２１ｆ  透明ワイヤ
２２  第２操作部
２２ａ  第２ディスプレイ
２２ｂ  第２接触感知センサ
２２ｄ  透明パネル
２２ｅ  第２タッチパネル
２３  第３操作部
２３ａ  第３ディスプレイ
２３ｂ  第３接触感知センサ
２３ｄ  透明パネル
２３ｅ  第３タッチパネル
３  回路基板
４  送信部
５  第１選択部
６  第２選択部
８  接触感知センサ
７０  制御部
７０ａ  記憶部
７０ｂ  タイマー
７１  パネル駆動部
７２  発振部
【図１】
2007049394.tif 000003
【図２】
2007049394.tif 000004
【図３】
2007049394.tif 000005
【図４】
2007049394.tif 000006
【図５】
2007049394.tif 000007
【図６】
2007049394.tif 000008
【図７】
2007049394.tif 000009
【図８】
2007049394.tif 000010
【図９】
2007049394.tif 000011
【図１０】
2007049394.tif 000012
【図１１】
2007049394.tif 000013
【図１２】
2007049394.tif 000014